(57)【要約】【課題】  現場管理者が現場に出向いていなくとも作業員に常時監視されていることを認識させ、作業員の自主性を促すことにより安全を徹底させる安全帯の使用促進装置を提供する。【解決手段】  安全帯が作業者に着用されたことを検出する着用検出スイッチ４と、安全帯のフックを親綱などに掛けた使用状態と不使用を検出する使用検出スイッチ５と、着用検出スイッチ４と使用検出スイッチ５の作動を時間経過とともにデータを発生させるデータ発生部を設けた。【選択図】図２
2010252879.tif 000002
【特許請求の範囲】
【請求項１】
安全帯が作業者に着用されたことを検出する着用検出スイッチと、安全帯のフックを親綱などに掛けた使用状態と不使用を検出する使用検出スイッチと、着用検出スイッチと使用検出スイッチの作動を時間経過とともにデータを発生させるデータ発生部を設けた安全帯の使用促進装置。
【請求項２】
着用検出スイッチが着用を検出すると電源が入る電源部と、データ発生部を電源部により作動させる請求項１記載の安全帯の使用促進装置。
【請求項３】
データ発生部からの信号を記録する記憶部を安全帯に設けた請求項１または２記載の安全帯の使用促進装置。
【請求項４】
データ発生部からの信号を外部に信号として発信する発信部を設け、外部にその信号を受信し記録する記憶部を設けた請求項１または２記載の安全帯の使用促進装置。
【請求項５】
データ発生部13からの使用状態の信号を点滅点灯させるＬＥＤランプ７を安全帯20に設けた請求項１から４記載の安全帯の使用促進装置。
【発明の詳細な説明】
【技術分野】
【０００１】
本発明は、高層建築物や高い場所など、いわゆる高所作業現場での作業の安全を図る安全帯に関する。
【背景技術】
【０００２】
高所作業現場では、安全帯を使用することが義務付けられている。しかし、作業者が安全帯は着用していても、そのフックを親綱などに掛けない不使用による墜落と転落の死亡事故が絶えない。安全帯の使用を徹底させるために、現場管理者が朝礼で注意するとか、見回りで注意する程度が一般的で、あくまでも作業員の自主性に頼っているのが実態である。
【０００３】
そこで、安全帯を着用したときに設定した時間だけ、フックを親綱などに掛けるよう促す警報装置が知られている。
【０００４】
例えば、実用新案登録第３０５１８５１号公報に示されるように、高所作業用安全帯に取り付けられた電源と、前記安全帯に取り付けられ、前記電源に接続されたとき、前記安全帯に連結された命綱の使用を促す警報を断続的にまたは連続的に発生する警報発生器と、前記安全帯に取り付けられ、前記安全帯が使用者に着用されたとき前記警報発生器を前記電源に接続するように作動する接続手段を備えたことを特徴とする警報装置が知られている。
【０００５】
この警報装置では、接続手段は、前記安全帯が使用者に着用されたとき、前記使用者の身体に押しつけられることによって作動するようになっている。
【０００６】
そのため、この警報装置では、安全帯が使用者に着用されたとき以外は、フックを親綱などに掛けない不使用状態となっても警報が鳴らないことになる。
【０００７】
そこで、安全帯のフックを親綱などに掛けない不使用を警告する警報装置が知られている。
【０００８】
例えば、実用新案登録第３０７２９６３号公報に示されるように、バケット車のバケット内に作業員が搭乗したことを検知する搭乗検知センサと、搭乗検知センサにより作業員の搭乗が検知されると安全帯のフックを掛けるよう注意を促す警報音を発する警報発生部と、作業員の身体に装着された安全帯のフックを着脱可能なバケットの胴綱環又は環ロープとを有し、胴綱環又は環ロープにフックを掛けると警報発生部からの警報を停止させる警報停止用スイッチを設けたバケット車への安全帯フックの掛け忘れ防止装置が知られている。
【０００９】
また、特開２００３−１１１８５６号公報に示されるように、親綱付近に張られたアンテナが結合されるＩＤ受信機、安全帯に装備されるＩＤタグと小形警報装置及び安全帯のフックに連携したスイッチから成り、ＩＤタグからのＩＤ信号をアンテナで受信したＩＤ受信機が小形警報装置に作動信号を発信して警報を鳴らすと共に、親綱にフックを掛けることでフックに連携したスイッチがＯＮ信号を発信し、ＯＮ信号をアンテナで受信したＩＤ受信機が小形警報装置に停止信号を発信して警報を止めるように構成される安全帯の不使用警報装置が知られている。
【００１０】
以上のような、不使用を警告する警報装置では、作業者が移動のためにフックを外す度に警報音が鳴ることになる。
【００１１】
一方、安全帯のフックを親綱などに掛けた使用状態を確認できる警報装置も知られている。
【００１２】
例えば、実開平４−１１０５０号公報に示されるように、腰ベルトと、これにその後端が繋着されたロープと該ロープ先端に取り付けられた係止用フックとからなる安全帯において、前期係止用フックに圧力センサーを固着し、圧力検出部と該圧力検出部によって作動される警報部とを安全帯の本体側に設け、前記圧力センサーと圧力検出部とを前記ロープに沿わせて配線されたリード線で連結して、前記係止用フックが係止棒等の被係止体に係止されたことを検知して確認用警報を発する警報装置を設けたものが知られている。
【００１３】
この警報装置では、警報部は音を発生するほか、ＬＥＤランプ等を点灯させる光手段でもよいとされている。
【先行技術文献】
【特許文献】
【００１４】
【特許文献１】実用新案登録第３０５１８５１号公報
【特許文献２】実用新案登録第３０７２９６３号公報
【特許文献３】特開２００３−１１１８５６号公報
【特許文献４】実開平４−１１０５０号公報
【発明の概要】
【発明が解決しようとする課題】
【００１５】
上記の、安全帯のフックを親綱などに掛けない不使用を警告する警報装置や、
安全帯のフックを親綱などに掛けた使用状態を確認できる警報装置が有っても、依然として墜落と転落の死亡事故が絶えない。
【００１６】
それは、実用新案登録第３０５１８５１号公報に記載のものは、安全帯が使用者に着用された一時以外は、フックを親綱などに掛けない不使用状態となっても警報が鳴らないものであり、的確に警報を発せないものである。
【００１７】
また、実用新案登録第３０７２９６３号公報や特開２００３−１１１８５６号公報に記載のものは、安全帯のフックを親綱などに掛けた使用状態を確認できる警報装置であるが、作業者が移動や休憩のためにフックを外す度に警報音が鳴ることになり、作業者が煩わしく思い警報のスイッチを切ってしまうことが考えられ、またスイッチを切っても周りのものに気付かれにくい。さらに、フックを親綱などに掛けた使用状態を確認できる警報装置は、搭乗検知センサやＩＤ受信機が必要で大掛かりな装置となり、経費が多くなるため実際には導入が進んでいない。
【００１８】
また、実開平４−１１０５０号公報に記載のものは、安全帯のフックを親綱などに掛けた使用状態を確認できるものではあるが、使用状態では常に音が鳴ったりランプが点灯するもので、作業者が煩わしく思い安全帯のフックを親綱などに掛けない不使用としてしまうことが考えられる。
【００１９】
以上のように従来技術は、使用を促すものや警告するものではあるが、結局のところ作業員の自主性に頼っているのが実態であり、使用しないと作業ができないといった強制的なものではない。安全帯を使用した高所作業は作業員が行なうのであって、あくまでも作業員の自主性に頼るしかないことに問題の本質がある。
【００２０】
また、現場管理者の作業員に対する不使用の監視は朝礼や見回り程度であり、一時的なものである。
【００２１】
そこで本発明は、安全帯のフックを親綱などに掛けた使用状態と不使用を時間経過とともに常時記録し監視することにより、現場管理者が現場に出向いていなくとも作業員に常時監視されていることを認識させ、作業員の自主性を促すことにより安全を徹底させる安全帯の使用促進装置を提供することを目的とする。
【課題を解決するための手段】
【００２２】
請求項１の発明の安全帯の使用促進装置は、安全帯20が作業者Ｗに着用されたことを検出する着用検出スイッチ４と、安全帯20のフック22を親綱Ｒなどに掛けた使用状態と不使用を検出する使用検出スイッチ５と、着用検出スイッチ４と使用検出スイッチ５の作動を時間経過とともにデータを発生させるデータ発生部13を設けたものである。
【００２３】
請求項２の発明の安全帯の使用促進装置は、着用検出スイッチ４が着用を検出すると電源が入る電源部12と、データ発生部13を電源部12により作動させるものである。
【００２４】
請求項３の発明の安全帯の使用促進装置は、データ発生部13からの信号を記録する記憶部14を安全帯20に設けたものである。
【００２５】
請求項４の発明の安全帯の使用促進装置は、データ発生部13からの信号を外部に信号として発信する発信部15を設け、外部にその信号を受信し記録する記憶部17を設けたものである。
【００２６】
請求項５の発明の安全帯の使用促進装置は、データ発生部13からの使用状態の信号を点滅点灯させるＬＥＤランプ７を安全帯20に設けたものである。
【発明の効果】
【００２７】
請求項１の発明によれば、安全帯が作業者に着用されたことを検出する着用検出スイッチと、安全帯のフックを親綱などに掛けた使用状態と不使用を検出する使用検出スイッチと、着用検出スイッチと使用検出スイッチの作動を時間経過とともにデータを発生させるデータ発生部を設けたたから、現場管理者が現場に出向いていなくとも作業員にフックの使用・不使用を常時監視されていることを認識させ、作業員の自主性を促すことにより安全を徹底させることができる。また、安全帯の着用そのものも時間経過とともに監視できる。
【００２８】
請求項２の発明によれば、着用検出スイッチが着用を検出すると電源が入る電源部と、データ発生部を電源部により作動させるから、装置の電源スイッチを着用検出スイッチが兼ねており、スイッチの入れ忘れや切り忘れの心配が無い。
【００２９】
請求項３の発明によれば、データ発生部からの信号を記録する記憶部を安全帯に設けたから、作業終了後に記憶部のデータを安全帯から取り出し、記憶部に記録された安全帯のフックを親綱などに掛けた使用状態と不使用を時間経過とともに表示して、現場管理者が現場に出向いていなくとも監視でき、作業員の自主性を促すことにより安全を徹底させることができる。
【００３０】
請求項４の発明によれば、データ発生部からの信号を外部に信号として発信する発信部を設け、外部にその信号を受信し記録する記憶部を設けたから、外部では作業中でも作業終了後でも、記憶部に記録された安全帯のフックを親綱などに掛けた使用状態と不使用を時間経過とともに表示して、現場管理者が現場に出向いていなくとも監視でき、作業員の自主性を促すことにより安全を徹底させることができる。
【００３１】
請求項５の発明によれば、データ発生部からの使用状態の信号を点滅点灯させるＬＥＤランプを安全帯に設けたから、現場でも使用状態を監視でき、作業員の自主性を促すことにより安全を徹底させることができる。また、電池切れなどが無く正常に作動していることを確認できる。
【図面の簡単な説明】
【００３２】
【図１】図１は安全帯の使用促進装置の使用状況を示す斜視図である。（実施例１）
【図２】図２は使用促進装置の裏側斜視図である
【図３】図３は使用促進装置の表側斜視図である。
【図４】図４は請求項２に係る発明の電気回路を示す説明図である。（実施例１）
【図５】図５は請求項３に係る発明の電気回路を示す説明図である。（実施例２）
【発明を実施するための形態】
【００３３】
現場管理者が現場に出向いていなくとも作業員に常時監視されていることを認識させ、作業員の自主性を促すことにより安全を徹底させる安全帯の使用促進装置を提供する目的を、安全帯のフックを親綱などに掛けた使用状態と不使用を時間経過とともに常時記録し監視することにより実現した。
【実施例１】
【００３４】
図１は、本発明の一実施例に係る安全帯20の使用促進装置１の使用状況を示すものである。
【００３５】
高層建築物や高い場所など、いわゆる高所作業現場での墜落や転落による死亡事故を防ぎ作業者Ｗの安全を図るため、作業者Ｗは安全帯20を腰に着用し、安全帯20に繋がれたロープ21の先端のフック22を親綱Ｒや手摺などに掛けて使用する。
【００３６】
使用促進装置１には、装置を収納する箱形のケース２と、ケース２の裏面に安全帯20のベルトを挟み込む取付具３を設ける。取付具３は下方が開放のコの字断面となっており、先端部が弾性的に内方に付勢されて安全帯20のベルトに押し付けられ、使用促進装置１を安全帯20に着脱自在として既存の安全帯20にも適用可能としている。
【００３７】
取付具３の作業者Ｗに接する側の面、つまり取付具３の裏面に安全帯20が作業者Ｗに着用されたことを検出する着用検出スイッチ４を設ける。作業者Ｗが安全帯20を着用してベルトを締めると、着用検出スイッチ４が作業者Ｗの体に押されて着用されたことを検出する。
【００３８】
ケース２の下面から下方に、使用検出スイッチとしての安全帯フック吊環５を設ける。安全帯フック吊環５は、安全帯20のフック22の重さで入切するスイッチであり、安全帯20のフック22を使用しないときはフック22を安全帯フック吊環５に掛け、安全帯20のフック22を使用するときはフック22を安全帯フック吊環５から外し、安全帯20のフック22を親綱Ｒなどに掛けた使用状態と不使用を間接的に検出する。
【００３９】
ケース２の側面にＵＳＢコネクタ６を設け、ＵＳＢコネクタ６から作業終了後に記憶部14に記録されたデータを外部に取り出す。
【００４０】
ケース２の表面にＬＥＤランプ７を設け、ＬＥＤランプ７はデータ発生部13からの使用状態の信号を点滅点灯させる。
【００４１】
図４は、本発明の実施例１に係る電気回路を示す説明図であり、使用促進装置１に電源を供給するバッテリ11と、バッテリ11の電源を電源部12への供給を入切する着用検出スイッチ４を設け、着用検出スイッチ４が着用を検出すると電源部12に電源が入る。
【００４２】
電源部12は使用検出スイッチ５とデータ発生部13に電源を供給し、データ発生部13は電源部12の入により作動する。データ発生部13は時間経過を把握する時計機能を持たせ、使用検出スイッチ５の作動信号をデータ発生部13に伝え、データ発生部13は使用検出スイッチ５の作動を時間経過とともにデータを発生させる。
【００４３】
また、データ発生部13は使用検出スイッチ５の使用状態の信号により、ＬＥＤランプ７を点滅点灯させる。
【００４４】
データ発生部13から発生したデータ信号は記憶部14に伝えられ、記憶部14はそのデータを記録する。
【００４５】
記憶部14およびＵＳＢコネクタ６は安全帯20に設ける。現場の管理事務所などで作業終了後に、記憶部14に連結するＵＳＢコネクタ６から記憶部14に記録されたデータを外部に取り出す。取り出したデータをパソコンなどで表示させ、記憶部14に記録された安全帯20の使用時間、およびフック22を親綱Ｒなどに掛けた使用状態と不使用を時間経過とともに表示して、現場管理者が現場に出向いていなくとも監視できる。
【実施例２】
【００４６】
図５は、本発明の実施例２に係る電気回路を示す説明図であり、バッテリ11からデータ発生部13およびＬＥＤランプ７までは実施例１と同じである。
【００４７】
データ発生部13から発生したデータ信号は発信部15に伝えられ、発信部15はその信号を外部に信号として発信する。
【００４８】
現場の管理事務所などの外部に、その信号を受信する受信部16を設け、受信部16で受信したデータ信号を記憶部17に伝えて記録する。外部では作業中でも作業終了後でも、記憶部17に記録されたデータをパソコンなどで表示させ、安全帯20の使用時間、およびフック22を親綱Ｒなどに掛けた使用状態と不使用を時間経過とともに表示して、現場管理者が現場に出向いていなくとも監視できる。
【００４９】
以上の実施例では、使用促進装置１がケース２に収められ安全帯20に着脱自在とした例を示したが、使用促進装置１そのものが安全帯20に組み込まれるようにしても良い。
【００５０】
また、着用検出スイッチ４が着用を検出すると電源部12に電源が入る例を示したが、電源部12に電源を入れるスイッチを着用検出スイッチ４と兼用せずに別に設けるようにしても良い。
【００５１】
また、着用検出スイッチ４が作業者Ｗの体に押されて着用されたことを検出する例を示したが、安全帯20のバックルなどに着用を検出するスイッチを設けるようにしても良い。
【００５２】
また、使用検出スイッチして安全帯フック吊環５を用いる例を示したが、ロープ21の引き出しやフック22の親綱Ｒへの接触を検出するようにしても良い。
【００５３】
また、記憶部14に記録されたデータをＵＳＢコネクタ６から外部に取り出す例を示したが、記憶部14をメモリーカードのようにケース２から取り出すようにしても良い。
【符号の説明】
【００５４】
４  着用検出スイッチ
５  使用検出スイッチとしての安全帯フック吊環
７  ＬＥＤランプ
12  電源部
13  データ発生部
14  記憶部
15  発信部
17  記憶部
20  安全帯
22  フック
Ｒ  親綱
Ｗ  作業者
【図１】
2010252879.tif 000003
【図２】
2010252879.tif 000004
【図３】
2010252879.tif 000005
【図４】
2010252879.tif 000006
【図５】
2010252879.tif 000007